(57)【要約】【課題】トラバースカバーを備えたトラバース装置では、光ピックアップの発熱を冷却することができない。【解決手段】本発明は、半導体レーザ３及び対物レンズ４を備える光ピックアップ２と、光ピックアップ２を光ディスクの半径方向に案内する主軸６及び副軸７と、クランパ５とで構成されるトラバース機構部９は、クランパ５及び対物レンズ４を光ディスクに対して対面させる開口１ａ及び複数の孔が列状に配列した貫通孔１ｃと１ｄとを有するトラバースカバー１が備える固着部１ｂによって固着されたトラバース装置である。この貫通孔１ｃ及び１ｄを開口１ａを関して略対称に備えることにより、光ディスクの回転によって生じる空気流を光ピックアップ２に効率よく吹き付けることができ、光ピックアップの発熱を冷却できる。【選択図】図１
2006079752.tif 000002
【特許請求の範囲】
【請求項１】
光ピックアップと、前記光ピックアップを光ディスクの半径方向に駆動するトラバース機構部と、前記トラバース機構部と前記光ディスクとの間に、前記半径方向に沿ってそれぞれ独立した複数の貫通孔を有するトラバースカバーを備えたことを特徴とするトラバース装置。
【請求項２】
前記貫通孔は、前記光ピックアップに備える半導体レーザの配置側であることを特徴とする請求項１記載のトラバース装置。
【発明の詳細な説明】
【技術分野】
【０００１】
本発明は、ＤＶＤ等の光ディスクの再生又は記録を行う光ピックアップを当該光ディスクの半径方向に移動するトラバース装置に関するものである。
【背景技術】
【０００２】
従来、ノートパソコンやポータブルＤＶＤプレーヤー等に搭載可能な薄型の光ディスク装置に搭載されるトラバースは、特許文献１が知られている。図５は特許文献１に開示されているトラバースの構造を示す要部斜視図である。同図において２は光ピックアップ、３は半導体レーザ、４は対物レンズ、５は不図示の光ディスクを回転させるスピンドルモータモータ５ａに備えるクランパ、６は光ピックアップ２を光ディスクのラジアル方向への移動を案内する主軸、７は主軸６と平行に配置され光ディスクのラジアル方向への移動を案内する副軸、８は主軸６を回転させ光ピックアップ２を移動させる主軸駆動モータ、９はトラバース機構部、１１はトラバースカバーである。トラバースカバー１１には、対物レンズ４が光ディスクの情報層に対して対向させる窓部と共にクランパ５を光ディスクの中心孔に嵌合させる孔部とが連続した開口１１ａと、トラバースカバー１１とトラバース機構部９と固着する固着部１１ｂとを備える。このトラバースカバー１１を備えることにより、トラバース機構部９を外気に含まれる塵埃による汚染、高熱となる半導体レーザ３や対物レンズ２等にユーザが不用意に触れることを防止することができる。
【特許文献１】特開平１１−２９６８６６号公報
【発明の開示】
【発明が解決しようとする課題】
【０００３】
このようなトラバースにおいては、小型・薄型化を図るため光ピックアップ２は狭小空間に置かれ、光ピックアップ２に備えた半導体レーザ３の発熱はトラバースカバー１１で覆われた空間に籠もり、当該発熱を効率的に冷却することができない。よって半導体レーザ３やその他の回路が動作時に発生する熱によって周囲温度が通常の環境より上昇した場合（例えば７０℃程度）に、半導体レーザ３の駆動電流が許容範囲を超えて上昇して熱暴走を起こし、レーザ発振が停止する事態を招くことがある。また、一般的な使用環境においても、レーザ駆動電流の増加により半導体レーザ３の寿命が通常より短くなったり、消費電力の増大につながる。
【０００４】
そこで、本発明は、光ディスク装置の高温環境でのレーザ信頼性の向上及び消費電力の低減を提供することを目的としてなされたものである。
【課題を解決するための手段】
【０００５】
この課題を解決するために本発明のトラバース装置は、光ピックアップと、前記光ピックアップを光ディスクの半径方向に駆動するトラバース機構部と、前記トラバース機構部と前記光ディスクとの間に、前記半径方向に沿ってそれぞれ独立した複数の貫通孔を有するトラバースカバーを備えた構成を有する。
【発明の効果】
【０００６】
本発明によれば、トラバース装置が高温環境下であっても、レーザ信頼性の向上及び消費電力の低減を提供することができるという有利な効果が得られる。
【発明を実施するための最良の形態】
【０００７】
本発明のトラバース装置は、光ピックアップと、前記光ピックアップを光ディスクの半径方向に駆動するトラバース機構部と、前記トラバース機構部と前記光ディスクとの間に、前記半径方向に沿ってそれぞれ独立した複数の貫通孔を有するトラバースカバーを備えたことにより、光ピックアップが前記半径方向のいかなる位置で信号を再生する場合においても、光ディスクが回転することにより発生する空気流を光ピックアップに導くことができ、光ピックアップが備えた半導体レーザを冷却するという作用を有する。また、貫通孔は、前記光ピックアップに備える半導体レーザの配置側である好ましい構成によると、貫通孔を半導体レーザが駆動する側に配置することにより、空気流を直接半導体レーザに送り込むことができ、より効率的に半導体レーザを冷却できるという作用を有する。
【０００８】
以下本発明の好ましい実施形態について、図１及び図２を用いて説明する。図１は本発明の一実施の形態におけるトラバース装置の構造を示す要部斜視図、図２は図１のトラバース装置を不図示の光ディスク側から見た平面図である。なお、従来構成と同一の構成要素に関しては同一符号を付す。図１及び２において、１はトラバースカバー、２は光ピックアップ、３は半導体レーザ、４は対物レンズ、５は不図示の光ディスクを回転させるスピンドルモータモータ５ａに備えるクランパ、６は光ピックアップ２を光ディスクのラジアル方向への移動を案内する主軸、７は主軸６と平行に配置され光ディスクのラジアル方向への移動を案内する副軸、８は主軸６を回転させ光ピックアップ２を移動させる主軸駆動モータ、９はトラバース機構部である。トラバースカバー１には、対物レンズ４が光ディスクの情報層に対して対向させる窓部と共にクランパ５を光ディスクの中心孔に嵌合させる孔部とが連続した開口１ａ、トラバース機構部９と固着する固着部１ｂ及び光ディスクのラジアル方向に相独立して複数配置した貫通孔１ｃと１ｄとを備える。
【０００９】
本実施形態では、貫通孔１ｃを副軸７側に貫通孔１ｄを主軸６側にそれぞれの軸に対する内角が略４５°の傾きを持って形成しているため、不図示の光ディスクがスピンドルモータ５ａによる回転で発生する渦状の空気流を効率よく通過させることができ、光ピックアップ２の副軸７側に備える半導体レーザ３及び不図示の半導体レーザ３を駆動する駆動回路等が発生する熱を当該空気流で冷却することができ、半導体レーザ３の熱暴走、及びそれに起因するレーザ発進の停止を抑制することができる。なお、貫通孔１ｃ及び１ｄの形状は、長方形、楕円または三角形であっても適用することはできるが、光ディスクの回転により発生した空気流を効率よく通過させるためには、長方形や三角形等の角を有する形状では角部での空気流の流が乱れ易く、また楕円では複数個一列に配置する密度が低くなるあるいは隣り合う貫通孔の間隙が狭くなりトラバースカバー１の強度が弱くなる傾向にあるため、図示の通り半円で角を面取りした長孔が好ましい。貫通孔１ｃ及び１ｄは副軸７及び主軸６に対し傾きを持って配置すると、光ディスクの回転で発生する空気流の渦に沿い易いと共に、隣接する孔同士の長手方向が副軸７及び主軸６に対して直交する方向に重なるため空気流を効率よく通過させることができる。この傾き角度は副軸７及び主軸６に対する内角で１０°から８０°が好ましく、配列密度及び副軸７及び主軸６に対して直交する方向の重なりを考慮すると３０°から６０°の範囲が望ましい。貫通孔１ｃ及び１ｄそれぞれの長手方向は、副軸７及び主軸６に対し直交する方向の重なりに応じて適宜設計することができるが、半導体レーザ３側に配置する貫通孔（本実施形態では１ｃ）は開口１ａ側から半導体レーザ３上近傍まで形成することが好ましい。また、半導体レーザ３側と開口１ａを介して反対側に備える貫通孔（本実施形態では１ｄ）は、軸（本実施形態では主軸６）上近傍から光ピックアップ２にかけて備えると、光ピックアップ２全体に対して空気流を通過させることができるため好ましい。また、貫通孔１ｃ及び１ｄそれぞれ一列に配列する数は、開口１ａの副軸７及び主軸６に対する貫通孔１ｃ及び１ｄの傾き角度、それぞれ個々の貫通孔の一対の短軸方向の幅、窓部の長さ、及びトラバースカバー１の強度に応じて適宜決定することができる。さらに、本実施形態の貫通孔１ｃ及び１ｄは副軸７及び主軸６の方向、すなわち光ディスクの半径（ラジアル）方向に配列しているため、通常の１２ｃｍの径を有する光ディスクであっても例えば８ｃｍの径を有する光ディスクであっても、回転によって発生する空気流は貫通孔１ｃ及び１ｄを通過するため、光ピックアップ２に対する冷却効率を両立することができる。
【００１０】
次に、本発明のトラバース装置の他の実施形態を図３及び図４を参照して説明する。図３は本実施形態のトラバース装置の構造を示す要部斜視図、図４は図３のトラバース装置を不図示の光ディスク側から見た平面図である。なお、従来構成及び先の実施形態と同一の構成要素に関しては同一符号を付す。図３及び４において、２は光ピックアップ、３は半導体レーザ、４は対物レンズ、５は不図示の光ディスクを回転させるスピンドルモータモータ５ａに備えるクランパ、６は光ピックアップ２を光ディスクのラジアル方向への移動を案内する主軸、７は主軸６と平行に配置され光ディスクのラジアル方向への移動を案内する副軸、８は主軸６を回転させ光ピックアップ２を移動させる主軸駆動モータ、９はトラバース機構部、１０はトラバースカバーである。トラバースカバー１０には、対物レンズ４が光ディスクの情報層に対して対向させる窓部と共にクランパ５を光ディスクの中心孔に嵌合させる孔部とが連続した開口１０ａ、トラバース機構部９と固着する固着部１０ｂ及び光ディスクのラジアル方向に相独立して複数配置した貫通孔１０ｃとを備える。すなわち、図１及び２を参照して説明した先の実施形態と異なる点は、先の実施形態では貫通孔１ｃと１ｄとが開口１ａを介して平行に配列した形態であるが、本実施形態では半導体レーザ３側にのみ貫通孔１０ｃを備える構成が異なる。なお、本実施形態における貫通孔１０ｃも先の実施形態における貫通孔１ｃと全く同様の構成で、同じ作用効果を奏する。また、本実施形態ではトラバースカバー１０では貫通孔１０ｃのみを備えればよいため、トラバースカバー１０の加工が簡単であるため加工費を安価にすることができる。
【００１１】
なお、上述の何れに実施形態においても、トラバースカバーに備える貫通孔をれぞれにトラバースカバーの光ディスク対向面側またはトラバースカバーの光ピックアップ対向面側に空気流を案内するリブを備えてもよく、列状に配列した貫通孔それぞれの軸（副軸または主軸）に対する角度は同一としたが、光ディスクの半径に応じて角度を変化（内周になるほど内角を小さくする等）させることも必要に応じて適宜適用することもできる。さらに、光ディスクの高速記録・再生の要望に応じて光ディスクの高速回転させることが必要となるが、光ディスクの回転によって発生する空気流が光ピックアップ及び／またはトラバースカバーに吹き付ける反作用で回転する光ディスクが浮き上がるまたは光ディスクの回転中心に対して傾きを持つことも想定されるが、トラバースカバーに備える貫通孔が当該空気流を通過させることにより光ディスクに帰還する空気流を低減させ、高速回転時にクランパによる光ディスクのチャッキングずれ、または面振れと称される回転軸に対する光ディスクの情報層面の直交性のずれも抑制できる効果もある。また、上述の実施形態は何れも例えばノートパソコンに装着されるドライブを意図（クランパとスピンドルモータとが一体となった形態）して説明したが、クランパとスピンドルモータとを一体とした構成に限定されるものではなく、スピンドルモータに備えたターンテーブル上に光ディスクを載置し、光ディスク上からクランパが押圧する構成であっても、トラバースカバーを備える構成であれば奏する作用・効果は同様である。
【産業上の利用可能性】
【００１２】
本発明のトラバース装置は、半導体レーザに対する消費電力低減及び発光安定性を有するため、あらゆる光ディスク装置に適用することができる。
【図面の簡単な説明】
【００１３】
【図１】本発明の実施の形態１による光ディスク装置１０の斜視図
【図２】本発明の実施の形態１によるトラバースカバー１が有する貫通孔を説明する平面図
【図３】本発明の実施の形態２による光ディスク装置１２の斜視図
【図４】本発明の実施の形態１によるトラバースカバー１１が有する貫通孔を説明する平面図
【図５】従来の光ディスク装置１４の構成を示す斜視図
【符号の説明】
【００１４】
１    トラバースカバー
２    光ピックアップ
３    半導体レーザ
４    対物レンズ
５    クランパ
５ａ    スピンドルモータ
６    主軸
７    副軸
８    主軸駆動モータ
９    トラバース機構部
１０    トラバースカバー
１１    トラバースカバー
１２    トラバース部
【図１】
2006079752.tif 000003
【図２】
2006079752.tif 000004
【図３】
2006079752.tif 000005
【図４】
2006079752.tif 000006
【図５】
2006079752.tif 000007